(57)【要約】【課題】  機械的強度に優れ、一方向に大きな引張力が作用しても、弓形に曲がることのない鋼管ポールを提供する。【解決手段】  あらゆる構造物の支柱として使用されるポールであって、鋼管製のポール本体１１と、前記ポール本体１１の内部に、その略全長にわたって挿入され、両側面部が前記ポール本体１１の内周面に固定された断面マイナス形状の補強板１２、または断面プラス形状の補強部材１３とで構成する。【選択図】図２
2005074016.tif 000002
【特許請求の範囲】
【請求項１】
あらゆる構造物の支柱として使用されるポールであって、
中空状で鋼管製のポール本体と、
前記ポール本体の内部に、その略全長にわたって挿入され、側面部が部分的に前記ポール本体の内周面に溶接によって固定された補強部材と、からなることを特徴とする鋼管ポール。
【請求項２】
あらゆる構造物の支柱として使用されるポールであって、
中空状で鋼管製のポール本体と、
前記ポール本体の内部に、その略全長にわたって挿入され、側面部が部分的に前記ポール本体の内周面に溶接によって固定された断面マイナス形状の補強部材または断面プラス形状の補強部材と、からなることを特徴とする鋼管ポール。
【請求項３】
前記ポール本体に対する補強部材の固定を、
ポール本体の周面に、長手方向に沿って所定間隔で穴をあけ、その穴に、前記挿入した補強部材の側面部を当接させ、ポール本体の外側から前記穴を溶接することによって行うことを特徴とする請求項１又は２に記載の鋼管ポール。
【請求項４】
前記支柱を、防球ネットの支柱としてなることを特徴とする請求項１乃至３のうちいずれか一つに記載の鋼管ポール。
【請求項５】
前記補強部材の側面部を、前記ポール本体に対して引張力が作用する作用線に沿って固定してなることを特徴とする請求項１乃至４のうちいずれか一つに記載の鋼管ポール。
【発明の詳細な説明】
【技術分野】
【０００１】
本発明は、例えば、学校のグランドに設置される防球ネットの支柱として使用する鋼管製のポールに関するものである。
【背景技術】
【０００２】
学校のグランドや公園などには、野球やサッカー等のボールが外に飛び出さないように防球ネットを設置している。
この防球ネットは、例えば、二本の鋼管ポール２０を支柱として地面から立設し、この鋼管ポール２０の上端間にワイヤー２を架設し、そのワイヤー２にネット３を張って構成している（図５（ａ）参照）。また、鋼管ポール２０に、いわゆる袖だしネット４や照明器具を設置する場合もある（図５（ｂ））。
【発明の開示】
【発明が解決しようとする課題】
【０００３】
しかしながら、こうした鋼管ポール２０には、一方向に大きな引張力が作用するため、長年の使用によって、図５に示したように弓形に曲がってしまうといった問題が発生する。
鋼管ポールが弓形に湾曲すると、ワイヤーおよびネットが弛んでしまい見栄えが悪くなると共に、防球ネットとしても有効に作用しなくなる。また、袖出しネット４や照明器具も傾き、好ましくない。
【０００４】
そこで、本発明の目的とするところは、機械的強度に優れ、一方向に大きな引張力が作用しても、弓形に曲がることのない鋼管ポールを提供することにある。
【課題を解決するための手段】
【０００５】
上記の目的を達成するために、本発明の請求項１に記載の鋼管ポール（１０）は、あらゆる構造物の支柱として使用されるポールであって、中空状で鋼管製のポール本体（１１）と、前記ポール本体（１１）の内部に、その略全長にわたって挿入され、側面部が部分的に前記ポール本体（１１）の内周面に溶接によって固定された補強部材（１２，１３）と、からなることを特徴とする。
【０００６】
また本発明の請求項２に記載の鋼管ポール（１０）は、あらゆる構造物の支柱として使用されるポールであって、中空状で鋼管製のポール本体（１１）と、前記ポール本体（１１）の内部に、その略全長にわたって挿入され、側面部が部分的に前記ポール本体（１１）の内周面に溶接によって固定された断面マイナス形状の補強部材（１２）または断面プラス形状の補強部材（１３）と、からなることを特徴とする。
【０００７】
また、請求項３に記載の鋼管ポール（１０）は、請求項１又は２に記載のポール本体（１１）に対する補強部材（１２，１３）の固定を、ポール本体（１１）の周面に、長手方向に沿って所定間隔で穴（１４）をあけ、その穴（１４）に、前記挿入した補強部材（１２，１３）の側面部を当接させ、ポール本体（１１）の外側から前記穴（１４）を溶接することによって行うことを特徴とする。
【０００８】
さらに、請求項４に記載の鋼管ポール（１０）は、請求項１乃至３のうちいずれか記載の鋼管ポールを防球ネット（１）の支柱としてなることを特徴とする。
【０００９】
また、請求項５に記載の鋼管ポール（１０）は、前記補強部材（１２，１３）の側面部を、前記ポール本体（１１）に対して引張力が作用する作用線（Ｌ）に沿って固定してなることを特徴とする。
【００１０】
なお、カッコ内の記号は、図面および後述する発明の実施の形態に記載された対応要素または対応事項を示す。
【発明の効果】
【００１１】
本発明の請求項１及び２に記載の鋼管ポールによれば、鋼管製のポール本体と、前記ポール本体の内部に、その略全長にわたって挿入され、側面部が前記ポール本体の内周面に固定された補強部材（断面マイナス形状の補強部材または断面プラス形状の補強部材）からなるので、その補強部材がポール本体を効果的に補強する。
従って、鋼管ポールの機械的強度が高められ、一方向に大きな引張力が作用しても、弓形に曲がることがない。同時に、見栄えにも優れる。
特に請求項３に記載の鋼管ポールによれば、容易に製造することができる。
【００１２】
また、請求項４に記載の鋼管ポールによれば、請求項１乃至３に記載の鋼管ポールを防球ネットの支柱としているので、機械的強度に優れ、一方向に湾曲して、ワイヤーやネットが弛むと言った事態を未然に防止することができる。
従って、防球ネットの見栄えや機能を高めることができる。
【００１３】
さらに、請求項５に記載の鋼管ポールによれば、請求項１乃至４に記載の発明の作用効果に加えて、ポール本体に対する補強部材の固定を、引張力が作用する作用線に沿って行っているので、当該引張力に十分対抗することができる。
従って、弓形に湾曲する事態を、より未然に防止することができる。
【発明を実施するための最良の形態】
【００１４】
図１および図２を参照して、本発明の第一実施形態に係る鋼管ポール１０について説明する。図１は鋼管ポール１０を支柱として使用した防球ネット１を示す正面図である。また、図２（ａ）はその部分拡大正面図であり、（ｂ）は（ａ）のＡ−Ａ線断面図である。従来例で示したものと同一部分には、同一符合を付した。
【００１５】
本発明の第一実施形態に係る鋼管ポール１０は、防球ネット１の支柱として使用されるポールであって、ポール本体１１と補強板１２とで構成される。ポール本体１１は、長尺円筒状（中空状）の鋼管製である。補強板１２は、鋼鉄製で、ポール本体１１の内部に、その全長にわたって挿入され、左右両側面部がポール本体１１の内周面に溶接によって固定された断面マイナス形状の板である。
【００１６】
補強板１２の固定は、図３に示すように、ポール本体１１の長手方向に所定間隔で複数箇所に穿孔１４を設け、その穿孔１４部分にポール本体１１の外側から溶接することによって行う。符合１５は、溶接部を示す。なお、この固定は溶接に限定されず、ボルト締め等によっても行うことができる。
【００１７】
この鋼管ポール１０は、補強板１２のはたらきによって機械的強度が高められるので、ワイヤー２によって一方向に引張力が作用するものの、従来のように弓形に湾曲することがない。従って、防球ネット１のネット３も弛まず、見栄えや機能にも優れる。
【００１８】
なお、この鋼管ポール１０の補強板１２は、引張力が作用する作用線Ｌに沿って配置している。従って、当該引張力に対して効果的に対抗することができ、湾曲変形をより未然に防止することができる。
【００１９】
図４を参照して、本発明の第二実施形態に係る鋼管ポール１０について説明する。図４は鋼管ポール１０を示す正面図である。従来例で示したものと同一部分には、同一符合を付した。
【００２０】
本発明の第二実施形態に係る鋼管ポール１０は、その上端部に袖だしネット４を設置したものである。また、ポール本体１１内に、補強板１２を二枚、直角に交差させて溶接で組付けた断面プラス形状の補強部材１３を内装し、両補強板１２の両側面部をポール本体１１の内周面に溶接で固定している。また、一方の補強板１２を、引張力が作用する作用線Ｌに沿って配置している。
【００２１】
従って、ポール本体１１の強度が補強部材１３のはたらきによって高められ、袖出しネットの重量によって弓形に曲がるのを未然に防止できる。
なお、この鋼管ポール１０においても、第一実施形態と同様に、ポール本体１１に穿設した穿孔１４に各補強板１２の端部を位置させ、溶接によってポール本体１１の外側から固定する。
【００２２】
なお本発明の第一，第二実施形態に係る鋼管ポール１０では、ポール本体１１内に、断面マイナス形状の補強板１２や断面プラス形状の補強部材１３を挿入して固定するようにしたが、特に断面形状を限定することなく、例えば、五角形や六角形といった多角形状の断面形状をした補強部材を挿入するものであっても、側面部をポール本体１１の内周面に溶接固定するものであればよい。
【図面の簡単な説明】
【００２３】
【図１】本発明の第一実施形態に係る鋼管ポールおよび防球ネットを示す正面図である。
【図２】図１に示す鋼管ポールを示すもので、（ａ）は正面図、（ｂ）はそのＡ−Ａ線拡大断面図である。
【図３】本発明の第一実施形態において、補強板をポール本体に固定する手段を示すもので、（ａ）は部分断面正面図、（ｂ）は部分断面平面図である。
【図４】本発明の第二実施形態に係る鋼管ポールを示すもので、（ａ）は正面図、（ｂ）はそのＢ−Ｂ線拡大断面図である。
【図５】従来例に係る鋼管ポールを示すもので、（ａ）は防球ネットの支柱として使用した正面図、（ｂ）は袖だしネットの支柱として使用した正面図である。
【符号の説明】
【００２４】
１    防球ネット
２    ワイヤー
３    ネット
４    袖だしネット
１０    鋼管ポール
１１    ポール本体
１２    補強板
１３    補強部材
１４    穿孔
１５    溶接部
２０    鋼管ポール
Ｌ    作用線
【図１】
2005074016.tif 000003
【図２】
2005074016.tif 000004
【図３】
2005074016.tif 000005
【図４】
2005074016.tif 000006
【図５】
2005074016.tif 000007